【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおける通信の方法であって、
第１のランダムアクセス要求シーケンスのための複数の繰返しレベルから、第１の繰返しレベルを識別することと、
前記第１の繰返しレベルに少なくとも部分的に基づいて、前記第１のランダムアクセス要求シーケンスのための第１の初期電力を決定することと、
前記第１の初期電力に従って、前記第１のランダムアクセス要求シーケンスの少なくとも１つのランダムアクセス要求を送信することと、
前記第１のランダムアクセス要求シーケンスに応答してランダムアクセス応答が受信されなかったと決定することに少なくとも部分的に基づいて、第２のランダムアクセス要求シーケンスのための前記複数の繰返しレベルから、第２の繰返しレベルを識別することと、
前記第２の繰返しレベルに少なくとも部分的に基づいて、前記第２のランダムアクセス要求シーケンスのための第２の初期電力を決定することと、ここにおいて、前記第２の初期電力は、前記第２の繰返しレベルが前記複数の繰返しレベルのうちの最も高い繰返しレベルであるかどうかに基づいて、最大送信電力であると決定され、
前記第２の初期電力に従って、前記第２のランダムアクセス要求シーケンスの少なくとも１つのランダムアクセス要求を送信することと
を備える方法。
【請求項２】
前記第２の初期電力を前記決定することは、前記第２の繰返しレベルと、前記第１の繰返しレベルとの比較に少なくとも部分的に基づく、請求項１に記載の方法。
【請求項３】
前記第２の初期電力を前記決定することは、前記第２のランダムアクセス要求シーケンスの初期ランダムアクセス要求のためのアップリンク送信電力を、前記第１のランダムアクセス要求シーケンスの前のアップリンク送信電力と同じ値になるように設定することを備える、請求項１に記載の方法。
【請求項４】
前記第２の繰返しレベルの冗長送信の数は、前記第１の繰返しレベルの冗長送信の数よりも大きい、請求項１に記載の方法。
【請求項５】
前記第１または第２の初期電力を前記決定することは、前記ワイヤレス通信デバイスによって受信された信号から決定されたチャネル状態に少なくとも部分的に基づく、請求項１に記載の方法。
【請求項６】
前記第１または第２のランダムアクセス要求シーケンスの２つ以上の繰り返されるランダムアクセス要求の各々のための冗長送信のためのリソースセットは、それぞれの前記繰返しレベルに少なくとも部分的に基づいて決定される、請求項１に記載の方法。
【請求項７】
前記第１のランダムアクセス要求シーケンスの最新のランダムアクセス試行の電力、前記第１の繰返しレベルの冗長送信の数、および前記第２のランダムアクセス要求シーケンスのための前記第２の繰返しレベルの冗長送信の数に応じて、前記第２のランダムアクセス要求シーケンスのための前記第２の繰返しレベルでの初期ランダムアクセス要求の送信電力を決定することを備える、前記第２の初期電力を決定することをさらに備える、請求項１に記載の方法。
【請求項８】
ワイヤレス通信デバイスにおける通信のための装置であって、
ランダムアクセス要求シーケンスのための繰返しレベルを識別するための手段と、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定するための手段と、
前記第１の初期電力に従って、前記第１のランダムアクセス要求シーケンスの少なくとも１つのランダムアクセス要求を送信するための手段と、
前記第１のランダムアクセス要求シーケンスに応答してランダムアクセス応答が受信されなかったと決定することに少なくとも部分的に基づいて、第２のランダムアクセス要求シーケンスのための前記複数の繰返しレベルから、第２の繰返しレベルを識別するための手段と、
前記第２の繰返しレベルに少なくとも部分的に基づいて、前記第２のランダムアクセス要求シーケンスのための第２の初期電力を決定するための手段と、ここにおいて、前記第２の初期電力は、前記第２の繰返しレベルが前記複数の繰返しレベルのうちの最も高い繰返しレベルであるかどうかに基づいて、最大送信電力であると決定され、
前記第２の初期電力に従って、前記第２のランダムアクセス要求シーケンスの少なくとも１つのランダムアクセス要求を送信するための手段と
を備える装置。
【請求項９】
前記１つまたは複数の送信電力パラメータを決定するための前記手段は、前記繰返しレベルと、前記前の繰返しレベルとの比較に少なくとも部分的に基づいて動作可能である、請求項８に記載の装置。
【請求項１０】
前記１つまたは複数の送信電力パラメータを決定するための前記手段は、前記ランダムアクセス要求シーケンスの初期ランダムアクセス要求のためのアップリンク送信電力を、前記前のランダムアクセス要求シーケンスの前のアップリンク送信電力と同じ値になるように設定するための手段を備える、請求項８に記載の装置。
【請求項１１】
ワイヤレス通信のためのコードを記憶するコンピュータ可読媒体であって、前記コードは、請求項１ないし７のいずれか一項に記載の方法を行うように実行可能な命令を備える、コンピュータ可読媒体。
【手続補正２】
【補正対象書類名】明細書
【補正対象項目名】０１３７
【補正方法】変更
【補正の内容】
【０１３７】
[0148]  本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］  ワイヤレス通信デバイスにおける通信の方法であって、
ランダムアクセス要求手順の第１のランダムアクセス要求シーケンスのための複数の繰返しレベルから、第１の繰返しレベルを識別することと、
前記第１の繰返しレベルに少なくとも部分的に基づいて、前記第１のランダムアクセス要求シーケンスの１つまたは複数のランダムアクセス要求のための１つまたは複数の送信電力パラメータを決定することと、
前記１つまたは複数の送信電力パラメータに従って、前記第１のランダムアクセス要求シーケンスの前記１つまたは複数のランダムアクセス要求を送信することと、
を備える方法。
［Ｃ２］  前記ワイヤレス通信デバイスにおいて受信された信号に少なくとも部分的に基づいてチャネル状態を決定することをさらに備え、
前記第１のランダムアクセス要求シーケンスのための前記第１の繰返しレベルを前記識別することは、前記決定されたチャネル状態に少なくとも部分的に基づく、Ｃ１に記載の方法。
［Ｃ３］  前記ワイヤレス通信デバイスにおいて受信された信号に少なくとも部分的に基づいてチャネル状態を決定することをさらに備え、
前記１つまたは複数の送信電力パラメータを前記決定することは、前記決定されたチャネル状態に少なくとも部分的に基づく、Ｃ１に記載の方法。
［Ｃ４］  前記１つまたは複数の送信電力パラメータを前記決定することは、前記第１のランダムアクセス要求シーケンスのための初期送信電力または送信電力ステップサイズのうちの少なくとも１つを決定することを備える、Ｃ１に記載の方法。
［Ｃ５］  前記１つまたは複数の送信電力パラメータを前記決定することは、最大送信電力に等しい初期送信電力またはゼロに等しい送信電力ステップサイズのうちの少なくとも１つを決定することを備える、Ｃ１に記載の方法。
［Ｃ６］  前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別することと、
ランダムアクセス要求の前記識別された最大数に少なくとも部分的に基づいて、前記第１のランダムアクセス要求シーケンスを実行することと、をさらに備える、Ｃ１に記載の方法。
［Ｃ７］  ワイヤレス通信デバイスにおける通信の方法であって、
ランダムアクセス要求シーケンスのための繰返しレベルを識別することと、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定することと、を備える方法。
［Ｃ８］  前記１つまたは複数の送信電力パラメータを前記決定することは、前記繰返しレベルと、前記前の繰返しレベルとの比較に少なくとも部分的に基づく、Ｃ７に記載の方法。
［Ｃ９］  前記１つまたは複数の送信電力パラメータを前記決定することは、前記ランダムアクセス要求シーケンスの初期ランダムアクセス要求のためのアップリンク送信電力を、前記前のランダムアクセス要求シーケンスの前のアップリンク送信電力と同じ値になるように設定することを備える、Ｃ７に記載の方法。
［Ｃ１０］  前記１つまたは複数の送信電力パラメータを前記決定することは、前記ランダムアクセス要求シーケンスのランダムアクセス要求のためのアップリンク送信電力を、前記ワイヤレス通信デバイスの最大アップリンク送信電力になるように設定することを備える、Ｃ７に記載の方法。
［Ｃ１１］  前記１つまたは複数の送信電力パラメータを前記決定することは、冗長送信の数が繰返しレベル閾値を超えると決定することに少なくとも部分的に基づく、Ｃ１０に記載の方法。
［Ｃ１２］  前記繰返しレベルの冗長送信の数は、前記前の繰返しレベルの冗長送信の数よりも大きい、Ｃ７に記載の方法。
［Ｃ１３］  前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、Ｃ７に記載の方法。
［Ｃ１４］  前記１つまたは複数の送信電力パラメータを前記決定することは、前記ワイヤレス通信デバイスによって受信された信号から決定されたチャネル状態に少なくとも部分的に基づく、Ｃ７に記載の方法。
［Ｃ１５］  前記ランダムアクセス要求シーケンスの２つ以上の繰り返されるランダムアクセス要求の各々のための冗長送信のためのリソースセットは、前記繰返しレベルに少なくとも部分的に基づいて決定される、Ｃ７に記載の方法。
［Ｃ１６］  ワイヤレス通信デバイスにおける通信の方法であって、
ランダムアクセス手順に関連付けられた１つまたは複数の送信電力パラメータを指示する構成メッセージを受信することと、
ランダムアクセス要求手順の第１のランダムアクセス要求シーケンスのための第１の繰返しレベルを識別することと、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定することと、を備える方法。
［Ｃ１７］  前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、Ｃ１６に記載の方法。
［Ｃ１８］  前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定することをさらに備える、Ｃ１６に記載の方法。
［Ｃ１９］  前記第２のアップリンク送信電力は、前記ワイヤレス通信デバイスの最大アップリンク送信電力になるように決定される、Ｃ１８に記載の方法。
［Ｃ２０］  第２のランダムアクセス要求シーケンスのための第２の繰返しレベルを識別することと、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定することと、をさらに備える、Ｃ１６に記載の方法。
［Ｃ２１］  前記第３のアップリンク送信電力を決定することは、前記第３のアップリンク送信電力を、前記第１のランダムアクセス要求シーケンスの最終ランダムアクセス要求の最終送信電力と等しくなるように設定することを備える、Ｃ２０に記載の方法。
［Ｃ２２］  前記第３のアップリンク送信電力は、前記ワイヤレス通信デバイスの最大アップリンク送信電力になるように決定される、Ｃ２０に記載の方法。
［Ｃ２３］  前記ワイヤレス通信デバイスによって受信された信号に少なくとも部分的に基づいてチャネル状態を決定することと、
前記決定されたチャネル状態に少なくとも部分的に基づいて、前記第３のアップリンク送信電力を決定することと、をさらに備える、Ｃ２０に記載の方法。
［Ｃ２４］  ワイヤレス通信デバイスにおける通信のための装置であって、
ランダムアクセス要求手順の第１のランダムアクセス要求シーケンスのための複数の繰返しレベルから、第１の繰返しレベルを識別するための手段と、
前記第１の繰返しレベルに少なくとも部分的に基づいて、前記第１のランダムアクセス要求シーケンスの１つまたは複数のランダムアクセス要求のための１つまたは複数の送信電力パラメータを決定するための手段と、
前記１つまたは複数の送信電力パラメータに従って、前記第１のランダムアクセス要求シーケンスの前記１つまたは複数のランダムアクセス要求を送信するための手段と、を備える装置。
［Ｃ２５］  前記ワイヤレス通信デバイスにおいて受信された信号に少なくとも部分的に基づいてチャネル状態を決定するための手段をさらに備え、
前記第１のランダムアクセス要求シーケンスのための前記第１の繰返しレベルを識別するための前記手段は、前記決定されたチャネル状態に少なくとも部分的に基づいて動作可能である、Ｃ２４に記載の装置。
［Ｃ２６］  前記ワイヤレス通信デバイスにおいて受信された信号に少なくとも部分的に基づいてチャネル状態を決定するための手段をさらに備え、
前記１つまたは複数の送信電力パラメータを決定するための前記手段は、前記決定されたチャネル状態に少なくとも部分的に基づいて動作可能である、Ｃ２４に記載の装置。
［Ｃ２７］  前記１つまたは複数の送信電力パラメータを決定するための前記手段は、前記第１のランダムアクセス要求シーケンスのための初期アップリンク送信電力または送信電力ステップサイズのうちの少なくとも１つを決定するための手段を備える、Ｃ２４に記載の装置。
［Ｃ２８］  前記１つまたは複数の送信電力パラメータを決定するための前記手段は、前記ワイヤレス通信デバイスの最大アップリンク送信電力に等しい初期送信電力またはゼロに等しい送信電力ステップサイズのうちの少なくとも１つを決定するための手段を備える、Ｃ２４に記載の装置。
［Ｃ２９］  前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別するための手段と、
ランダムアクセス要求の前記識別された最大数に少なくとも部分的に基づいて、前記第１のランダムアクセス要求シーケンスを実行するための手段と、をさらに備える、Ｃ２４に記載の装置。
［Ｃ３０］  ワイヤレス通信デバイスにおける通信のための装置であって、
ランダムアクセス要求シーケンスのための繰返しレベルを識別するための手段と、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定するための手段と、を備える装置。
［Ｃ３１］  前記１つまたは複数の送信電力パラメータを決定するための前記手段は、前記繰返しレベルと、前記前の繰返しレベルとの比較に少なくとも部分的に基づいて動作可能である、Ｃ３０に記載の装置。
［Ｃ３２］  前記１つまたは複数の送信電力パラメータを決定するための前記手段は、前記ランダムアクセス要求シーケンスの初期ランダムアクセス要求のためのアップリンク送信電力を、前記前のランダムアクセス要求シーケンスの前のアップリンク送信電力と同じ値になるように設定するための手段を備える、Ｃ３０に記載の装置。
［Ｃ３３］  前記１つまたは複数の送信電力パラメータを決定するための前記手段は、前記ランダムアクセス要求シーケンスのランダムアクセス要求のためのアップリンク送信電力を、前記ワイヤレス通信デバイスの最大アップリンク送信電力になるように設定するための手段を備える、Ｃ３０に記載の装置。
［Ｃ３４］  前記１つまたは複数の送信電力パラメータを決定するための前記手段は、冗長送信の数が繰返しレベル閾値を超えると決定することに少なくとも部分的に基づいて動作可能である、Ｃ３３に記載の装置。
［Ｃ３５］  前記繰返しレベルの冗長送信の数は前記前の繰返しレベルの冗長送信の数よりも大きい、Ｃ３０に記載の装置。
［Ｃ３６］  前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、Ｃ３０に記載の装置。
［Ｃ３７］  前記１つまたは複数の送信電力パラメータを決定するための前記手段は、前記ワイヤレス通信デバイスによって受信された信号から決定されたチャネル状態に少なくとも部分的に基づいて動作可能である、Ｃ３０に記載の装置。
［Ｃ３８］  前記ランダムアクセス要求シーケンスの２つ以上の繰り返されるランダムアクセス要求の各々のための冗長送信のためのリソースセットは、前記繰返しレベルに少なくとも部分的に基づいて決定される、Ｃ３０に記載の装置。
［Ｃ３９］  ワイヤレス通信デバイスにおける通信のための装置であって、
ランダムアクセス手順に関連付けられた１つまたは複数の送信電力パラメータを指示する構成メッセージを受信するための手段と、
ランダムアクセス要求手順の第１のランダムアクセス要求シーケンスのための第１の繰返しレベルを識別するための手段と、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定するための手段と、を備える装置。
［Ｃ４０］  前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、Ｃ３９に記載の装置。
［Ｃ４１］  前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定するための手段をさらに備える、Ｃ３９に記載の装置。
［Ｃ４２］  前記第２のアップリンク送信電力は、前記ワイヤレス通信デバイスの最大アップリンク送信電力になるように決定される、Ｃ４１に記載の装置。
［Ｃ４３］  第２のランダムアクセス要求シーケンスのための第２の繰返しレベルを識別するための手段と、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定するための手段と、をさらに備える、Ｃ３９に記載の装置。
［Ｃ４４］  前記第３のアップリンク送信電力を決定するための手段は、前記第３のアップリンク送信電力を、前記第１のランダムアクセス要求シーケンスの最終ランダムアクセス要求の最終送信電力と等しくなるように設定するための手段を備える、Ｃ４３に記載の装置。
［Ｃ４５］  前記第３のアップリンク送信電力は、前記ワイヤレス通信デバイスの最大アップリンク送信電力になるように決定される、Ｃ４３に記載の装置。
［Ｃ４６］  前記ワイヤレス通信デバイスによって受信された信号に少なくとも部分的に基づいてチャネル状態を決定するための手段と、
前記決定されたチャネル状態に少なくとも部分的に基づいて、前記第３のアップリンク送信電力を決定するための手段と、をさらに備える、Ｃ４３に記載の装置。
［Ｃ４７］  ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス要求手順の第１のランダムアクセス要求シーケンスのための複数の繰返しレベルから、第１の繰返しレベルを識別させ、
前記第１の繰返しレベルに少なくとも部分的に基づいて、前記第１のランダムアクセス要求シーケンスの１つまたは複数のランダムアクセス要求のための１つまたは複数の送信電力パラメータを決定させ、
前記１つまたは複数の送信電力パラメータに従って、前記第１のランダムアクセス要求シーケンスの前記１つまたは複数のランダムアクセス要求を送信させるように、前記プロセッサによって実行可能である、装置。
［Ｃ４８］  前記ワイヤレス通信デバイスに、
前記ワイヤレス通信デバイスにおいて受信された信号に少なくとも部分的に基づいてチャネル状態を決定させるように、前記プロセッサによって実行可能な命令をさらに備え、  前記第１のランダムアクセス要求シーケンスのための前記第１の繰返しレベルを識別するための前記命令は、前記決定されたチャネル状態に少なくとも部分的に基づいて動作可能である、Ｃ４７に記載の装置。
［Ｃ４９］  前記ワイヤレス通信デバイスに、
前記ワイヤレス通信デバイスにおいて受信された信号に少なくとも部分的に基づいてチャネル状態を決定させるように、前記プロセッサによって実行可能な命令をさらに備え、  前記１つまたは複数の送信電力パラメータを決定するための前記命令は、前記決定されたチャネル状態に少なくとも部分的に基づいて動作可能である、Ｃ４７に記載の装置。
［Ｃ５０］  前記１つまたは複数の送信電力パラメータを決定するための前記命令は、前記第１のランダムアクセス要求シーケンスのための初期アップリンク送信電力または送信電力ステップサイズのうちの少なくとも１つを決定するための命令を備える、Ｃ４７に記載の装置。
［Ｃ５１］  前記１つまたは複数の送信電力パラメータを決定するための前記命令は、前記ワイヤレス通信デバイスの最大アップリンク送信電力に等しい初期送信電力またはゼロに等しい送信電力ステップサイズのうちの少なくとも１つを決定するための命令を備える、Ｃ４７に記載の装置。
［Ｃ５２］  前記ワイヤレス通信デバイスに、
前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別させ、
ランダムアクセス要求の前記識別された最大数に少なくとも部分的に基づいて、前記第１のランダムアクセス要求シーケンスを実行させるように、前記プロセッサによって実行可能な命令をさらに備える、Ｃ４７に記載の装置。
［Ｃ５３］  ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス要求シーケンスのための繰返しレベルを識別させ、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定させるように、前記プロセッサによって実行可能である、装置。
［Ｃ５４］  前記１つまたは複数の送信電力パラメータを決定するための前記命令は、前記繰返しレベルと、前記前の繰返しレベルとの比較に少なくとも部分的に基づいて動作可能である、Ｃ５３に記載の装置。
［Ｃ５５］  前記１つまたは複数の送信電力パラメータを決定するための前記命令は、前記ランダムアクセス要求シーケンスの初期ランダムアクセス要求のためのアップリンク送信電力を、前記前のランダムアクセス要求シーケンスの前のアップリンク送信電力と同じ値になるように設定するための命令を備える、Ｃ５３に記載の装置。
［Ｃ５６］  前記１つまたは複数の送信電力パラメータを決定するための前記命令は、前記ランダムアクセス要求シーケンスのランダムアクセス要求のためのアップリンク送信電力を、前記ワイヤレス通信デバイスの最大アップリンク送信電力になるように設定するための命令を備える、Ｃ５３に記載の装置。
［Ｃ５７］  前記１つまたは複数の送信電力パラメータを決定するための前記命令は、冗長送信の数が繰返しレベル閾値を超えると決定することに少なくとも部分的に基づいて動作可能である、Ｃ５６に記載の装置。
［Ｃ５８］  前記繰返しレベルの冗長送信の数は前記前の繰返しレベルの冗長送信の数よりも大きい、Ｃ５３に記載の装置。
［Ｃ５９］  前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、Ｃ５３に記載の装置。
［Ｃ６０］  前記１つまたは複数の送信電力パラメータを決定するための前記命令は、前記ワイヤレス通信デバイスによって受信された信号から決定されたチャネル状態に少なくとも部分的に基づいて動作可能である、Ｃ５３に記載の装置。
［Ｃ６１］  前記ランダムアクセス要求シーケンスの２つ以上の繰り返されるランダムアクセス要求の各々のための冗長送信のためのリソースセットは、前記繰返しレベルに少なくとも部分的に基づいて決定される、Ｃ５３に記載の装置。
［Ｃ６２］  ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス手順に関連付けられた１つまたは複数の送信電力パラメータを指示する構成メッセージを受信させ、
ランダムアクセス要求手順の第１のランダムアクセス要求シーケンスのための第１の繰返しレベルを識別させ、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定させるように、前記プロセッサによって実行可能である、装置。
［Ｃ６３］  前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、Ｃ６２に記載の装置。
［Ｃ６４］  前記ワイヤレス通信デバイスに、
前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定させるように、前記プロセッサによって実行可能な命令をさらに備える、Ｃ６２に記載の装置。
［Ｃ６５］  前記第２のアップリンク送信電力は、前記ワイヤレス通信デバイスの最大アップリンク送信電力になるように決定される、Ｃ６４に記載の装置。
［Ｃ６６］  前記ワイヤレス通信デバイスに、
第２のランダムアクセス要求シーケンスのための第２の繰返しレベルを識別させ、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定させるように、前記プロセッサによって実行可能な命令をさらに備える、Ｃ６２に記載の装置。
［Ｃ６７］  前記第３のアップリンク送信電力を決定するための前記命令は、前記第３のアップリンク送信電力を、前記第１のランダムアクセス要求シーケンスの最終ランダムアクセス要求の最終送信電力と等しくなるように設定するための命令を備える、Ｃ６６に記載の装置。
［Ｃ６８］  前記第３のアップリンク送信電力は、前記ワイヤレス通信デバイスの最大アップリンク送信電力になるように決定される、Ｃ６６に記載の装置。
［Ｃ６９］  前記ワイヤレス通信デバイスに、
前記ワイヤレス通信デバイスによって受信された信号に少なくとも部分的に基づいてチャネル状態を決定させ、
前記決定されたチャネル状態に少なくとも部分的に基づいて、前記第３のアップリンク送信電力を決定させるように、前記プロセッサによって実行可能な命令をさらに備える、Ｃ６６に記載の装置。
［Ｃ７０］  ワイヤレス通信のためのコードを記憶する非一時的コンピュータ可読媒体であって、前記コードは、
ランダムアクセス要求手順の第１のランダムアクセス要求シーケンスのための複数の繰返しレベルから、第１の繰返しレベルを識別し、
前記第１の繰返しレベルに少なくとも部分的に基づいて、前記第１のランダムアクセス要求シーケンスの１つまたは複数のランダムアクセス要求のための１つまたは複数の送信電力パラメータを決定し、
前記１つまたは複数の送信電力パラメータに従って、前記第１のランダムアクセス要求シーケンスの前記１つまたは複数のランダムアクセス要求を送信するように実行可能な命令を備える、非一時的コンピュータ可読媒体。
［Ｃ７１］  ワイヤレス通信デバイスにおいて受信された信号に少なくとも部分的に基づいてチャネル状態を決定するように実行可能な命令をさらに備え、
前記第１のランダムアクセス要求シーケンスのための前記第１の繰返しレベルを識別するための前記命令は、前記決定されたチャネル状態に少なくとも部分的に基づいて動作可能である、Ｃ７０に記載の非一時的コンピュータ可読媒体。
［Ｃ７２］  ワイヤレス通信デバイスにおいて受信された信号に少なくとも部分的に基づいてチャネル状態を決定するように実行可能な命令をさらに備え、
前記１つまたは複数の送信電力パラメータを決定するための前記命令は、前記決定されたチャネル状態に少なくとも部分的に基づいて動作可能である、Ｃ７０に記載の非一時的コンピュータ可読媒体。
［Ｃ７３］  前記１つまたは複数の送信電力パラメータを決定するための前記命令は、前記第１のランダムアクセス要求シーケンスのための初期アップリンク送信電力または送信電力ステップサイズのうちの少なくとも１つを決定するための命令を備える、Ｃ７０に記載の非一時的コンピュータ可読媒体。
［Ｃ７４］  前記１つまたは複数の送信電力パラメータを決定するための前記命令は、ワイヤレス通信デバイスの最大アップリンク送信電力に等しい初期送信電力またはゼロに等しい送信電力ステップサイズのうちの少なくとも１つを決定するための命令を備える、Ｃ７０に記載の非一時的コンピュータ可読媒体。
［Ｃ７５］  前記決定された１つまたは複数の送信電力パラメータおよびワイヤレス通信デバイスの最大アップリンク送信電力に少なくとも部分的に基づいて、前記第１のランダムアクセス要求シーケンス中で送信されるべきランダムアクセス要求の最大数を識別し、
ランダムアクセス要求の前記識別された最大数に少なくとも部分的に基づいて、前記第１のランダムアクセス要求シーケンスを実行するように実行可能な命令をさらに備える、Ｃ７０に記載の非一時的コンピュータ可読媒体。
［Ｃ７６］  ワイヤレス通信のためのコードを記憶する非一時的コンピュータ可読媒体であって、前記コードは、
ランダムアクセス要求シーケンスのための繰返しレベルを識別し、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定するように実行可能な命令を備える、非一時的コンピュータ可読媒体。
［Ｃ７７］  前記１つまたは複数の送信電力パラメータを決定するための前記命令は、前記繰返しレベルと、前記前の繰返しレベルとの比較に少なくとも部分的に基づいて動作可能である、Ｃ７６に記載の非一時的コンピュータ可読媒体。
［Ｃ７８］  前記１つまたは複数の送信電力パラメータを決定するための前記命令は、前記ランダムアクセス要求シーケンスの初期ランダムアクセス要求のためのアップリンク送信電力を、前記前のランダムアクセス要求シーケンスの前のアップリンク送信電力と同じ値になるように設定するための命令を備える、Ｃ７６に記載の非一時的コンピュータ可読媒体。
［Ｃ７９］  前記１つまたは複数の送信電力パラメータを決定するための前記命令は、前記ランダムアクセス要求シーケンスのランダムアクセス要求のためのアップリンク送信電力を、ワイヤレス通信デバイスの最大アップリンク送信電力になるように設定するための命令を備える、Ｃ７６に記載の非一時的コンピュータ可読媒体。
［Ｃ８０］  前記１つまたは複数の送信電力パラメータを決定するための前記命令は、冗長送信の数が繰返しレベル閾値を超えると決定することに少なくとも部分的に基づいて動作可能である、Ｃ７９に記載の非一時的コンピュータ可読媒体。
［Ｃ８１］  前記繰返しレベルの冗長送信の数は前記前の繰返しレベルの冗長送信の数よりも大きい、Ｃ７６に記載の非一時的コンピュータ可読媒体。
［Ｃ８２］  前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、Ｃ７６に記載の非一時的コンピュータ可読媒体。
［Ｃ８３］  前記１つまたは複数の送信電力パラメータを決定するための前記命令は、ワイヤレス通信デバイスによって受信された信号から決定されたチャネル状態に少なくとも部分的に基づいて動作可能である、Ｃ７６に記載の非一時的コンピュータ可読媒体。
［Ｃ８４］  前記ランダムアクセス要求シーケンスの２つ以上の繰り返されるランダムアクセス要求の各々のための冗長送信のためのリソースセットは、前記繰返しレベルに少なくとも部分的に基づいて決定される、Ｃ７６に記載の非一時的コンピュータ可読媒体。
［Ｃ８５］  ワイヤレス通信のためのコードを記憶する非一時的コンピュータ可読媒体であって、前記コードは、
ランダムアクセス手順に関連付けられた１つまたは複数の送信電力パラメータを指示する構成メッセージを受信し、
ランダムアクセス要求手順の第１のランダムアクセス要求シーケンスのための第１の繰返しレベルを識別し、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定するように実行可能な命令を備える、非一時的コンピュータ可読媒体。
［Ｃ８６］  前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、Ｃ８５に記載の非一時的コンピュータ可読媒体。
［Ｃ８７］  前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定するように実行可能な命令をさらに備える、Ｃ８５に記載の非一時的コンピュータ可読媒体。
［Ｃ８８］  前記第２のアップリンク送信電力は、ワイヤレス通信デバイスの最大アップリンク送信電力になるように決定される、Ｃ８７に記載の非一時的コンピュータ可読媒体。
［Ｃ８９］  第２のランダムアクセス要求シーケンスのための第２の繰返しレベルを識別し、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定するように実行可能な命令をさらに備える、Ｃ８５に記載の非一時的コンピュータ可読媒体。
［Ｃ９０］  前記第３のアップリンク送信電力を決定するための前記命令は、前記第３のアップリンク送信電力を、前記第１のランダムアクセス要求シーケンスの最終ランダムアクセス要求の最終送信電力と等しくなるように設定するための命令を備える、Ｃ８９に記載の非一時的コンピュータ可読媒体。
［Ｃ９１］  前記第３のアップリンク送信電力は、ワイヤレス通信デバイスの最大アップリンク送信電力になるように決定される、Ｃ８９に記載の非一時的コンピュータ可読媒体。
［Ｃ９２］  ワイヤレス通信デバイスによって受信された信号に少なくとも部分的に基づいてチャネル状態を決定し、
前記決定されたチャネル状態に少なくとも部分的に基づいて、前記第３のアップリンク送信電力を決定するように実行可能な命令をさらに備える、Ｃ８９に記載の非一時的コンピュータ可読媒体。